(57)【要約】【課題】間違ったカードを使用して入金処理を行うことを減少させる。【解決手段】担当者がレジスタから回収した現金を入金する際、担当者が挿入したＩＤカードから当該カードを特定する識別子をカードリーダ５で読取り、その識別子に該当する前回の処理を記憶部７に記憶された入出金処理履歴から検索して、当該カードでの出金が処理履歴上に存在しない場合、その旨の警告メッセージを表示部３に表示して、処理終了を選択できるようにした。【選択図】図１
2008204422.tif 000002
【特許請求の範囲】
【請求項１】
複数のレジスタに対して釣銭として使用する現金を釣銭用現金収納庫から繰出して出金する出金処理機能と、各レジスタから回収した現金を受け入れて釣銭として出金した金額分の現金を前記釣銭用現金収納庫に収納すると共に残りの現金を売上金として現金回収庫に収納する入金処理機能を備えた現金処理装置において、
表示部と、レジスタ毎に対応付けられたカードからそのカードを特定する識別情報を読取る読取り手段と、入金処理、出金処理等の処理毎にその処理の種類及び処理金額をその処理に使用されたカードの識別情報と対応付けて処理履歴として記憶する記憶部を備え、
入金処理時に前記読取り手段でカードから当該カードを特定する識別情報を読取り、その識別情報に該当する従前の出金処理を前記処理履歴から検索して、今回の入金処理に対応する出金処理がない場合、その旨の警告メッセージを前記表示部に表示して、処理終了を選択できるようにしたことを特徴とする現金処理装置。
【請求項２】
請求項１記載の現金処理装置において、
前記警告メッセージを表示した画面に今回使用したカードの識別情報及び該カードと対応するレジスタの識別情報を表示することを特徴とする現金処理装置。
【請求項３】
請求項１記載の現金処理装置において、
今回の入金処理に対応する出金履歴がある場合、今回の入金処理による入金金額と前回の出金処理による出金金額を比較し、前記入金金額が前記出金金額未満の場合、その旨の警告メッセージを前記表示部に表示して、処理終了を選択できるようにしたことを特徴とする現金処理装置。
【請求項４】
請求項３記載の現金処理装置において、
レジスタ毎に予め定めた最低売上金額を前記記憶部に記憶させ、
今回の入金処理による入金金額が前回の出金処理による出金金額以上の場合、その入金金額から出金金額を差し引くことで算出される売上金額を、今回の入金処理に使用されたカードに対応するレジスタに対して定められたた最低売上金額と比較し、前記売上金額が前記最低売上金額未満の場合、その旨の警告メッセージを前記表示部に表示して、処理終了を選択できるようにしたことを特徴とする現金処理装置。
【発明の詳細な説明】
【技術分野】
【０００１】
本発明は、小売店等に設置されるレジスタに補充される釣銭用の現金の出金処理や、レジスタから回収した現金の入金処理等を行う現金処理装置に関するものである。
【背景技術】
【０００２】
従来のこの種の現金処理装置として、小売店の店舗に設置された複数のレジスタ対して釣銭用の現金を釣銭用現金収納庫から出金する出金機能、レジスタから回収した現金を入金したとき、釣銭分の現金は釣銭用現金収納庫に収納すると共に、売上分の現金は現金回収庫に収納する入金機能、入出金処理毎の入金及び出金の金額や金種毎の入出金枚数等を取引履歴として記憶部に記憶して管理する機能とを有する装置が提案されており、この装置では各レジスタに対応付けられたカードのＩＤを読取ってレジ担当者の正当性を確認した上で前記の出金及び入金の処理を行うものとなっている（例えば、特許文献１参照）。
【特許文献１】特開２００５−０３８０６２号公報（段落「００２７」〜段落「００５０」、図１、図４〜図６）
【発明の開示】
【発明が解決しようとする課題】
【０００３】
しかしながら、上述した従来の技術においては、以下の問題がある。
レジ担当者がレジスタから回収した現金を入金する際、レジ担当者が売上金の金額を入力するため、金額を誤入力し、それに気付かないまま処理を進めてしまうと、釣銭用現金収納庫や現金回収庫に本来収納される金額と実際に収納される金額が相違してしまい、運用に支障が出る等の問題がある。
【０００４】
このような問題の解決策として以下の方法が考えられている。
図１０は従来装置の問題の解決策を示す説明図である。
図に示したようにレジスタ１、２、３に対してそれぞれＩＤカード１、２、３が対応付けられているものとする。
そこでレジスタ１の担当者がカード１により釣銭用の現金を例えば「３０，０００円」出金したとき、現金処理装置はその履歴として、カード２に対する「３０，０００円」の出金を履歴として記憶部に記憶する。
【０００５】
同様にレジスタ２の担当者がカード２により釣銭用の現金を「１０，０００円」出金したとき、現金処理装置はその履歴として、カード２に対する「１０，０００円」の出金を履歴として記憶部に記憶し、レジスタ３の担当者がカード３により釣銭用の現金を「１０，０００円」出金したとき、現金処理装置はその履歴として、カード３に対する「１０，０００円」の出金を履歴として記憶部に記憶する。
【０００６】
そして、レジスタ１の担当者他の担当者と交代するときやレジ締め時等に、該レジスタ１の現金を回収し、その現金が例えば「９８，０００円」の場合、現金を現金処理装置に入金すると、現金処理装置はカード１に対する前回の出金履歴を調べ、カード１に対する「３０，０００円」の釣銭出金分を釣銭用現金収納庫に収納し、残りの「６８，０００円」を売上金として現金回収庫に収納する。
【０００７】
レジスタ２、３に対しても同様に処理を行う。例えばレジスタ２から回収した現金が「３８，０００円」の場合、現金を現金処理装置に入金すると、現金処理装置はカード２に対する前回の出金履歴を調べ、カード２に対する「１０，０００円」の釣銭出金分を釣銭用現金収納庫に収納して、残りの「２８，０００円」を売上金として現金回収庫に収納し、またレジスタ３から回収した現金が例えば「２５，０００円」の場合、現金を現金処理装置に入金すると、現金処理装置はカード３に対する前回の出金履歴を調べ、カード３に対する「１０，０００円」の釣銭出金分を釣銭用現金収納庫に収納して、残りの「１５，０００円」を売上金として現金回収庫に収納する。
【０００８】
このようにすることにより、売上金の金額をレジ担当者が入力する場合の誤入力を防止することができるが、この方法を採用した場合、レジ担当者がカードを間違えて入金を行うと、間違った金額で売上金と釣銭が分けられて収納されてしまうという新たな問題が生じる。
例えば、カード１に対して「３０，０００円」出金し、レジスタ１から回収した現金「９８，０００円」を入金する際、出金実績のない別のカードを使用すると、本来「３０，０００円」の釣銭出金分を釣銭用現金収納庫に収納し、残りの「６８，０００円」を売上金として現金回収庫に収納すべきところを、「９８，０００円」全額が売上金として現金回収庫に収納されてしまい、同様にカード１に対して「３０，０００円」を出金し、レジスタ１から回収した現金「９８，０００円」を入金する際、間違ってカード２を使用した場合、このカード２の釣銭出金分「１０，０００円」がすでに入金されていると出金実績は「０円」となるので、「９８，０００円」が売上金として現金回収庫に収納されてしまうことになる。
【０００９】
本発明は、このような問題を解決することを課題とする。
【課題を解決するための手段】
【００１０】
そのため、本発明は、複数のレジスタに対して釣銭として使用する現金を釣銭用現金収納庫から繰出して出金する出金処理機能と、各レジスタから回収した現金を受け入れて釣銭として出金した金額分の現金を前記釣銭用現金収納庫に収納すると共に残りの現金を売上金として現金回収庫に収納する入金処理機能を備えた現金処理装置において、表示部と、レジスタ毎に対応付けられたカードからそのカードを特定する識別情報を読取る読取り手段と、入金処理、出金処理等の処理毎にその処理の種類及び処理金額をその処理に使用されたカードの識別情報と対応付けて処理履歴として記憶する記憶部を備え、入金処理時に前記読取り手段でカードから当該カードを特定する識別情報を読取り、その識別情報に該当する従前の出金処理を前記処理履歴から検索して、今回の入金処理に対応する出金処理がない場合、その旨の警告メッセージを前記表示部に表示して、処理終了を選択できるようにしたことを特徴とする。
【発明の効果】
【００１１】
このようにした本発明は、担当者がレジスタから回収した現金を入金する際、担当者が使用するＩＤカードから当該カードを特定する識別情報を読取り手段で読取り、その識別情報に該当する従前の処理を処理履歴から検索し、今回の入金処理に対応する出金履歴がない場合、その旨の警告メッセージを表示して処理終了を選択できるようにしているため、担当者は使用するカードを間違えた場合にその間違いに気付くことができ、正しいカードを使用して入金処理をやり直すことができので、かなりの程度間違ったカードの使用を減少させることができるという効果が得られる。
【発明を実施するための最良の形態】
【００１２】
以下、図面を参照して本発明による現金処理装置の実施例を説明する。
【実施例】
【００１３】
図１は第１の実施例を示すブロック図である。
本実施例の現金処理装置は、レジスタを使用する小売店等に設置されるもので、図において１は硬貨（現金）の入出金処理を行う硬貨処理機（現金処理機）、２は紙幣（現金）の入出金処理を行う紙幣処理機（現金処理機）であり、この両処理機については後で詳しく説明する。
【００１４】
３はＬＣＤ等による表示部で、各種の処理操作の案内、現金処理のための入力画面や入力された情報、及び金種別の入出金金額や入出金の合計金額等を表示するものである。
４はレジスタの現金を入出金するレジ担当者や売上の締めを行う店長（装置管理者）等が操作するキーボードあるいは表示部３上に配置されたタッチパネル等の操作部で、入金処理や出金処理、締上げ処理、回収処理等の実行指示や出金金額等をキー入力することができるものとなっている。
【００１５】
５はカードリーダ（読取り手段）で、当該現金処理装置の利用者であるレジ担当者や店長等が使用する図示しないＩＤカードの情報を読取る機能を有している。
ＩＤカードは、レジスタに対応付けられており、レジ担当者用のＩＤカードには、利用者の区分、カードを特定するカード番号（識別情報）、レジスタを特定するレジ番号（識別情報）等がカード情報として記録されている。
【００１６】
このレジ担当者用のＩＤカードは、レジスタ毎またはレジ担当者毎に用意され、レジ担当者毎に配布する場合、レジ担当者が複数のレジスタを操作するのであれば、使用するレジスタ毎に対応付けられたＩＤカードが与えられる。
６は伝票記録部（プリンタ）で、硬貨処理機１や紙幣処理機２で行われた入金処理や出金処理の金額、金種別枚数等を伝票に記録（印字）して出力するものである。
【００１７】
７は記憶部で、この記憶部７には後述する主制御部が実行する制御プログラムが格納されている他、硬貨及び紙幣の入出金処理が行われる毎にその処理結果が入出金処理履歴として記憶（登録）されるものとなっている。
８は記憶部７に格納された制御プログラムに基づいて現金処理装置全体の制御を行う主制御部で、硬貨処理機１及び紙幣処理機２で入出金処理が行われる毎にこの主制御部８により記憶部７の入出金処理履歴が更新されるものとなっており、更に主制御部８は必要に応じて各種の演算を行う演算部としても機能する。
【００１８】
次に硬貨処理機１及び紙幣処理機２について説明する。
硬貨処理機１は、レジスタから回収した硬貨を一括して受け入れる硬貨入金口１１と、この硬貨入金口１１に受け入れた硬貨を１枚ずつ分離する図示しない分離部と、分離された硬貨の金種等を鑑別すると共に鑑別した硬貨を金種毎に計数する硬貨鑑別部１２と、この硬貨鑑別部１２で鑑別計数された硬貨を一時保留する一時保留部１３と、レジスタ用の釣銭として使用する硬貨を金種別に収納する釣銭用硬貨収納庫１４と、入金硬貨のうちの売上金を金種別に収納する硬貨回収庫１５と、釣銭用の硬貨を出金するための硬貨出金箱（硬貨出金カセット）１６と、硬貨リジェクト口１７と、図示しない記憶部に格納された制御プログラムに基づいて硬貨処理機１全体の動作制御を行う制御部１８を有している。
【００１９】
ここで一時保留部１３、釣銭用硬貨収納庫１４、硬貨回収庫１５、及び硬貨出金箱１６は金種毎に分けて硬貨を集積、収納できるように内部が区切られている。
また、硬貨入金口１１と硬貨鑑別部１２との間には分離部により分離された硬貨を搬送する搬送ベルト等による搬送路が設けられ、釣銭用硬貨収納庫１４と硬貨回収庫１５及び硬貨出金箱１６との間には、釣銭用硬貨収納庫１４から繰出される硬貨を硬貨回収庫１５と硬貨出金箱１６のいずれかに導く振分け手段と、通過する硬貨を金種毎に計数する計数手段が設けられている。
【００２０】
また、前記各釣銭用硬貨収納庫１４に対しては、収納する硬貨の金種毎に保管基準額が設定されており、その保管基準額を保つために入金処理された硬貨を収納するようになっている。この釣銭用硬貨収納庫１４にも硬貨を搬送路に繰出す繰出し手段が設けられている。
一方、紙幣処理機２は、入金処理時にレジスタから回収した紙幣を一括して受け入れると共に出金処理時に釣銭としての紙幣を排出する紙幣入出金口２１と、この紙幣入出金口２１に受け入れた紙幣を１枚ずつ分離する図示しない分離部と、紙幣の金種等を鑑別すると共に鑑別した紙幣を金種毎に計数する紙幣鑑別部２２と、この紙幣鑑別部２２で鑑別計数された紙幣を集積して一時保留する一時保留部２３と、レジスタ用の釣銭準備金として使用する金種（例えば、五千円、千円）の紙幣を金種別に収納する複数の釣銭用紙幣収納庫２４と、入金紙幣のうちの売上金を金種別に収納する複数の紙幣回収庫２５と、紙幣リジェクト庫２６と、これらの間で紙幣を搬送ベルト等で挟持して搬送する搬送路と、図示しない記憶部に格納された制御プログラムに基づいて紙幣処理機２全体の動作制御を行う制御部２７を備えている。
【００２１】
紙幣一時保留部２３には紙幣を繰出す繰出し手段が設けられている。
前記各釣銭用紙幣収納庫２４に対しては、収納する紙幣の金種毎に保管基準額が設定されており、その保管基準額を保つために入金処理された紙幣を収納するようになっている。
この釣銭用紙幣収納庫２４にも紙幣の集積手段が紙幣を搬送路に繰出す繰出し手段と共に設けられている。
【００２２】
尚、硬貨処理機１の制御部１８及び紙幣処理機２の制御部２７は主制御部８の指示により硬貨処理機１及び紙幣処理機２を制御するものとなっている。
図２は前記記憶部７の記憶される入出金処理履歴の内容例を示す図である。
この入出金処理履歴は、図示したように通番、レジＮｏ．、カードＮｏ．、利用者ＩＤ、区分、処理金額、金種、釣銭収納額、売上収納額により構成されており、通番のエリアには処理毎に付与される通し番号が書込まれ、カードＮｏ．のエリアにはレジ担当者のＩＤカードから読取ったカード番号が書込まれる。このカードＮｏ．はカードを特定するための情報（識別子）である。
【００２３】
レジＮｏ．のエリアにはレジ担当者のＩＤカードから読取ったレジスタを特定するレジ番号が書込まれる。このレジＮｏ．はレジスタ毎に集計する際に利用されるもので、同一レジスタに対する出金処理と入金処理とを関連付ける関連付け情報として用いられる。
また、利用者ＩＤのエリアにはレジ担当者のＩＤカードから読取ったＩＤ番号等が書込まれ、区分のエリアには処理の種類が入金であるか出金であるかの処理の種類を示す情報が書込まれる。
【００２４】
金額のエリアには入金処理または出金処理した処理金額が書込まれ、万、五千・・・一等の金種エリアには処理した金種毎の枚数がそれぞれ書込まれる。
更に、釣銭収納額のエリアには入金処理で計数されて釣銭用硬貨収納庫１４及び釣銭用紙幣収納庫２４に実際に収納された金額、売上収納額のエリアには入金処理で計数されて硬貨回収庫１５及び紙幣回収庫２５に実際に収納された金額がそれぞれ書込まれる。
【００２５】
尚、この入出金処理履歴には、実際には両替や補充等の処理の履歴も書込まれるが、ここでは図示を省略している。
上述した構成による第１の実施例の作用について説明する。
尚、以下に説明において、主制御部８や制御部１８、２７による制御の説明については、必要な説明を除いて省略する。
【００２６】
まず、レジ担当者がレジスタに釣銭を補充する現金を出金させる場合の出金処理について説明する。
図３はその出金処理の手順を示すフローチャートで、図中のＳはステップを示し、以下このステップに従って説明する。
レジ担当者がＩＤカードを現金処理装置に設けられているカード挿入排出口に挿入すると、カードリーダ５がＩＤカードから利用者の区分、カード番号（カードＮｏ．）、レジ番号（レジＮｏ．）を読取る（Ｓ１）。
【００２７】
また、レジ担当者は操作部４を操作して自分の個人ＩＤ（利用者ＩＤ）、パスワードを入力する（Ｓ２）。
主制御部８はレジ担当者が入力した個人ＩＤ、パスワードを予め記憶部７等に登録されている個人ＩＤ、パスワードと照合し、正当性が確認された場合、ＩＤカードから読取った利用者区分に基づき、レジ担当者が操作可能な「出金」、「入金」を選択するメニュー画面を表示部３に表示し（Ｓ３）、レジ担当者に選択させる。
【００２８】
ここでレジ担当者が操作部４を操作して「出金」を選択すると、主制御部８は「出金」の選択を受付け（Ｓ４）、表示部３に出金金額入力画面を表示する。
この画面を見てレジ担当者が操作部４を操作して、出金金額（硬貨及び紙幣の金種毎の枚数）を入力すると、主制御部８はその入力金額を受付けて（Ｓ５）、その出金金額と硬貨処理機１の釣銭用硬貨収納庫１４及び紙幣処理機２の釣銭用紙幣収納庫２４内の現金を比較し、出金の可否を判断する（Ｓ６）。
【００２９】
釣銭用硬貨収納庫１４及び釣銭用紙幣収納庫２４内の現金の不足等により出金不可と判断した場合、その旨のメッセージ画面を表示部３に表示して終了する。
出金可能な場合は、硬貨処理機１の釣銭用硬貨収納庫１４及び紙幣処理機２の釣銭用紙幣収納庫２４から該当金種の硬貨及び紙幣が繰出され、硬貨鑑別部１２及び紙幣鑑別部２２で鑑別、計数された後、硬貨出金庫１６や紙幣入出金口２１に放出あるいは集積されてレジ担当に出金される（Ｓ７）。
【００３０】
出金が終了すると主制御部８は今回の出金処理結果として通番、レジＮｏ．、カードＮｏ．、利用者ＩＤ、区分、出金金額（処理金額）、金種別枚数等を記憶部７の入出金処理履歴に追加書込みし（Ｓ８）、更に伝票記録部６で処理結果を伝票に記録してレジ担当者に発行すると共にＩＤカードをカード挿入排出口から排出してレジ担当者に返却する（Ｓ９）。
【００３１】
尚、入出金処理履歴等の更新は伝票発行後に行うようにしてもよい。
次に、レジ担当者がレジスタから回収した現金を入金させる場合の入金処理について説明する。
図４はその入金処理の手順を示すフローチャートで、図中のＳはステップを示し、以下このステップに従って説明する。
【００３２】
レジ担当者がＩＤカードを現金処理装置に設けられているカード挿入排出口に挿入すると、カードリーダ５がＩＤカードから利用者の区分、カード番号（カードＮｏ．）、レジ番号（レジＮｏ．）等のカード情報を読取る（Ｓ１１）。
続いて、レジ担当者は操作部４を操作して自分の個人ＩＤ（利用者ＩＤ）、パスワードを入力する（Ｓ１２）。
【００３３】
主制御部８はレジ担当者が入力した個人ＩＤ、パスワードを予め記憶部７等に登録されている個人ＩＤ、パスワードと照合し、正当性が確認された場合、ＩＤカードから読取った利用者区分に基づき、レジ担当者が操作可能な「出金」、「入金」を選択するメニュー画面を表示部３に表示し（Ｓ１３）、レジ担当者に選択させる。
ここでレジ担当者が操作部４を操作して「入金」を選択すると、主制御部８はその「入金」の選択を受付け（Ｓ１４）、記憶部７に記憶されている図２に示す入出金処理履歴を検索して、前記カード情報のカードＮｏ．に該当する区分の従前の処理に今回の入金処理に対応する出金処理があるか否かを判断し（Ｓ１５）、出金処理がある場合はＳ１８に進んで入金処理を実施するが、出金処理がない場合、主制御部８は確認画面を表示部３に表示する（Ｓ１６）。
【００３４】
図５はこの場合の確認画面の例を示す図で、この確認画面には「このカードは出金をしていません。入金処理を続けますか」等のこのカードにより行われた従前の処理に今回の入金処理に対応する出金がないことを警告する旨、及び入金処理を続けるか否かを問うメッセージと共に、入金を続ける場合は確認ボタンを、処理を終了する場合は取消ボタンを押下するように促すメッセージ、今回使用したカードのカード番号、そのカード番号に対応するレジ番号、及び入金続行を選択する「確認」ボタン３０、処理終了を選択する「取消」ボタン３１を表示する。
【００３５】
この画面を見てレジ担当者は「確認」ボタン３０と「取消」ボタン３１のいずれかを押下することになり、それにより主制御部８は処理継続かどうかを判断するが（Ｓ１７）、例えば、今回、図２に示すレジＮｏ．１のレジスタから回収した現金を入金するつもりで、間違ってレジＮｏ．２に対応するカードＮｏ．２のカードを挿入してしまった場合、レジ担当者は前記の確認画面に表示された警告メッセージによりカードを間違えたことを認識することができ、この段階で「取消」ボタン３１を押下して処理終了を選択することができる。
【００３６】
「取消」ボタン３１を押下して処理終了を選択すると、主制御部８はＩＤカードをカード挿入排出口から排出させてレジ担当者に返却するので、その後、レジ担当者は正しいカードを挿入して入金処理をやり直すことができる。
一方、確認画面を見てレジ担当者が「確認」ボタン３０を押下して入金処理継続を選択した場合、または前記Ｓ１５で出金処理があると判断した場合、主制御部８は硬貨処理機１及び紙幣処理機２に入金処理を実施させる（Ｓ１８）。
【００３７】
すなわち、硬貨処理機１及び紙幣処理機２は主制御部８の指示により、硬貨入金口１１及び紙幣入出金口２１に設けられているシャッタをそれぞれ開放して、レジ担当者がレジスタから回収してきた現金である硬貨及び紙幣を受入れ、そして受入れた硬貨及び紙幣を硬貨鑑別部１２及び紙幣鑑別部２２に搬送してそれぞれ鑑別、計数した後、硬貨一時保留部１３及び紙幣一時保留部２３に一時保留する。
【００３８】
受入れたすべての硬貨及び紙幣を計数して一時保留すると、主制御部８は金種毎の枚数及び金額、全金種の合計額を計数結果として表示部３に表示し、レジ担当者に金額を確認させて収納の可否（ＯＫ／ＮＧ）を入力させる。
収納不可（ＮＧ）の場合、一時保留した硬貨は硬貨リジェクト口１７から、紙幣は紙幣入出金口２１からレジ担当者に返却して処理を終了するが、収納可能（ＯＫ）の場合、硬貨一時保留部１３及び紙幣一時保留部２３に一時保留した硬貨及び紙幣を収納する。
【００３９】
例えば、今回の入金処理がカードＮｏ．が「０００２」のＩＤカードによる入金処理であって、確認画面によりレジ担当者が「確認」ボタン３０を押下して入金処理継続を選択したものとすると、図２に示す例では前回の処理が「入金」で処理金額画「３８，０００」であり、その前の「出金」の「１０，０００」が釣銭収納額としてすでに収納処理されているために、硬貨一時保留部１３及び紙幣一時保留部２３に一時保留した硬貨及び紙幣はすべて硬貨回収庫１５及び紙幣回収庫２５と、釣銭用硬貨収納庫１４及び釣銭用紙幣収納庫２４に振分けて収納する。
【００４０】
また、今回の入金処理がカードＮｏ．が「０００１」のＩＤカードによる入金処理であって、Ｓ５で主制御部８が図２に示す入出金処理履歴を検索した結果、従前の処理に今回の入金処理に対応する出金があると判断した場合、硬貨一時保留部１３及び紙幣一時保留部２３に一時保留した硬貨及び紙幣のうち、前回の処理で出金された「３０，０００」を釣銭分として釣銭用硬貨収納庫１４及び釣銭用紙幣収納庫２４に収納し、残りを売上として硬貨回収庫１５及び紙幣回収庫２５に収納する。
【００４１】
硬貨及び紙幣の収納が終了すると、主制御部８は今回の処理結果として通番、レジＮｏ．、カードＮｏ．、利用者ＩＤ、区分、入金金額、金種別枚数等を記憶部７の入出金処理履歴に書込んで更新し（Ｓ１９）、更に伝票記録部６で入金処理結果を伝票に記録してレジ担当者に発行すると共にＩＤカードをカード挿入排出口から排出してレジ担当者に返却する（Ｓ２０）。
【００４２】
尚、入出金処理履歴等の更新は伝票発行後に行うようにしてもよい。
以上説明した第１の実施例によれば、担当者がレジスタから回収した現金を入金する際、担当者が挿入したＩＤカードから当該カードを特定する識別情報をカードリーダで読取り、その識別子に該当する従前の処理を入出金処理履歴から検索して、従前の処理に今回の入金処理に対応する出金がない場合、その旨の警告メッセージを表示して、処理終了を選択できるようにしているため、担当者は使用するカードを間違えた場合、その間違えに気付くことができ、正しいカードを使用して入金処理をやり直すことができる。
【００４３】
但し、出金実績のあるカードを間違えて使用した場合、入金処理は進められるため、完全に間違いをなくすことはできないが、かなりの程度間違ったカードの使用を減少させることができるという効果が得られる。
次に、第２の実施例について説明する。
この第２の実施例は、入金処理時に出金実績のあるカードを間違えて使用した場合、その間違いをチェックして警告メッセージを表示するもので、そのためチェック用のレジ別設定ファイルを図１に示した記憶部７に格納している。
【００４４】
図６はレジ別設定ファイルの例を示す図で、図示したようにカードＮｏ．、レジＮｏ．、チェック有無、最低売上金によって構成されており、カードＮｏ．のエリアにはレジ担当者のＩＤカードから読取ったカード番号が書き込まれ、レジＮｏ．のエリアにはレジ担当者のＩＤカードから読取ったレジスタを特定するレジ番号が書込まれている。
このカード番号とレジ番号の関係は図２に示した入出金履歴と同様に対応付けられている。
【００４５】
また、チェック有無のエリアは売上金のチェックを実施するか否かを示すもので、チェックを実施する場合は「有り」の情報が書込まれ、実施しない場合は「無し」の情報が書込まれている。
最低売上金のエリアには予めレジスタ毎に設定した最低売上金の金額が書込まれており、各々のレジスタに設定される最低売上金の金額は、例えば過去の実績の統計等を参考にして決められる。
【００４６】
尚。この他の構成については第１の実施例と同様である。
次に第２の実施例の作用について説明する。
この第２の実施例において、出金処理は第１の実施例と同様に行われるので、ここではレジ担当者がレジスタから回収した現金を入金させる場合の入金処理について説明する。
尚、以下に説明において、主制御部８や制御部１８、２７による制御の説明については、必要な説明を除いて省略する。
【００４７】
図７はその入金処理の手順を示すフローチャートで、図中のＳはステップを示し、以下このステップに従って説明する。
まず、レジ担当者がＩＤカードを現金処理装置に設けられているカード挿入排出口に挿入すると、カードリーダ５がＩＤカードから利用者の区分、カード番号（カードＮｏ．）、レジ番号（レジＮｏ．）等のカード情報を読取る（Ｓ２１）。
【００４８】
続いて、レジ担当者は操作部４を操作して自分の個人ＩＤ（利用者ＩＤ）、パスワードを入力する（Ｓ２２）。
主制御部８はレジ担当者が入力した個人ＩＤ、パスワードを予め記憶部７等に登録されている個人ＩＤ、パスワードと照合し、正当性が確認された場合、ＩＤカードから読取った利用者区分に基づき、レジ担当者が操作可能な「出金」、「入金」を選択するメニュー画面を表示部３に表示し（Ｓ２３）、レジ担当者に選択させる。
【００４９】
ここでレジ担当者が操作部４を操作して「入金」を選択すると、主制御部８はその「入金」の選択を受付け（Ｓ２４）、記憶部７に記憶されている図２に示す入出金処理履歴を検索して、前記カード情報のカードＮｏ．に該当する区分の従前の処理に今回の入金処理に対応する出金処理があるか否かを判断し（Ｓ２５）、出金処理がある場合はＳ３１に移行して入金処理を実施するが、出金処理がない場合、主制御部８は第１の実施例で説明した図５に示す確認画面を表示部３に表示する（Ｓ２６）。
【００５０】
この画面を見てレジ担当者は「確認」ボタン３０と「取消」ボタン３１のいずれかを押下することになり、それにより主制御部８は処理継続かどうかを判断するが（Ｓ２７）、例えば、今回、図２に示すレジＮｏ．１のレジスタから回収した現金を入金するつもりで、間違ってレジＮｏ．２に対応するカードＮｏ．２のカードを挿入してしまった場合、レジ担当者は前記の確認画面に表示された警告メッセージによりカードを間違えたことを認識することができ、この段階で「取消」ボタン３１を押下して処理終了を選択することができる。
【００５１】
「取消」ボタン３１を押下して処理終了を選択すると、主制御部８はＩＤカードをカード挿入排出口から排出させてレジ担当者に返却するので、その後、レジ担当者は正しいカードを挿入して入金処理をやり直すことができる。
また、確認画面を見てレジ担当者が「確認」ボタン３０を押下して入金処理継続を選択すると、主制御部８は硬貨処理機１及び紙幣処理機２に入金処理を実施させる（Ｓ２８）。
【００５２】
すなわち、硬貨処理機１及び紙幣処理機２は主制御部８の指示により、硬貨入金口１１及び紙幣入出金口２１に設けられているシャッタをそれぞれ開放して、レジ担当者がレジスタから回収してきた現金である硬貨及び紙幣を受入れ、そして受入れた硬貨及び紙幣を硬貨鑑別部１２及び紙幣鑑別部２２に搬送してそれぞれ鑑別、計数した後、硬貨一時保留部１３及び紙幣一時保留部２３に一時保留する。
【００５３】
受入れたすべての硬貨及び紙幣を計数して一時保留すると、主制御部８は金種毎の枚数及び金額、全金種の合計額を計数結果として表示部３に表示し、レジ担当者に金額を確認させて収納の可否（ＯＫ／ＮＧ）を入力させる。
収納不可（ＮＧ）の場合、一時保留した硬貨は硬貨リジェクト口１７から、紙幣は紙幣入出金口２１からレジ担当者に返却して処理を終了するが、収納可（ＯＫ）の場合、硬貨一時保留部１３及び紙幣一時保留部２３に一時保留した硬貨及び紙幣を収納する。
【００５４】
例えば、今回のカードＮｏ．が「０００２」のカードによる入金処理であって、確認画面によりレジ担当者が「確認」ボタン３０を押下して入金処理継続を選択したものとすると、図２に示す例では前回の処理が「入金」で処理金額画「３８，０００」であり、その前の「出金」の「１０，０００」が釣銭収納額としてすでに収納処理されているために、硬貨一時保留部１３及び紙幣一時保留部２３に一時保留した硬貨及び紙幣はすべて硬貨回収庫１５及び紙幣回収庫２５と、釣銭用硬貨収納庫１４及び釣銭用紙幣収納庫２４に振分けて収納する。
【００５５】
硬貨及び紙幣の収納が終了すると、主制御部８は今回の処理結果として通番、レジＮｏ．、カードＮｏ．、利用者ＩＤ、区分、入金金額、金種別枚数等を記憶部７の入出金処理履歴に書込んで更新し（Ｓ２９）、更に伝票記録部６で入金処理結果を伝票に記録してレジ担当者に発行すると共に、ＩＤカードをカード挿入排出口から排出してレジ担当者に返却する（Ｓ３０）ことで入金処理を終了する。
【００５６】
尚、入出金処理履歴等の更新は伝票発行後に行うようにしてもよい。
一方、主制御部８が前記Ｓ２５で、従前の処理に今回の入金処理に対応する出金処理があると判断した場合は、以下のように入金処理が実行される。
まず、硬貨処理機１及び紙幣処理機２は主制御部８の指示により、硬貨入金口１１及び紙幣入出金口２１に設けられているシャッタをそれぞれ開放して、レジ担当者がレジスタから回収してきた現金である硬貨及び紙幣を受入れ、そして受入れた硬貨及び紙幣を硬貨鑑別部１２及び紙幣鑑別部２２に搬送してそれぞれ鑑別、計数を行う（Ｓ３１）。
【００５７】
計数後の硬貨及び紙幣は硬貨一時保留部１３及び紙幣一時保留部２３に一時保留する。
受入れたすべての硬貨及び紙幣を計数して一時保留すると、主制御部８は今回使用されたカードに該当する前回の出金金額を記憶部７に記憶されている入出金処理履歴（図２）から検索して、前記の計数による全金種の合計額つまり入金金額が前回の出金金額以上か否かを比較、判断し（Ｓ３２）、入金金額が前回の出金金額未満の場合はＳ３４へ移行する。
【００５８】
入金金額が前回の出金金額以上の場合、主制御部８は入金金額から前回の出金金額を差し引いて今回の売上金額を算出し、今回使用されたカードに該当するレジスタに設定された最低売上金額を記憶部７に記憶されているレジ別設定ファイル（図６）から検索して、今回の売上金額が検索した最低売上金額以上か否かを比較、判断する（Ｓ３３）。
その結果、今回の売上金額が検索した最低売上金額以上であれば、主制御部８はカードを間違えていないものと判断し、今回の計数した現金の金種毎の枚数及び金額、全金種の合計額（入金金額）を計数結果として表示部３に表示する。
【００５９】
これによりレジ担当者に金額を確認してその旨の入力を行うと、硬貨処理機１及び紙幣処理機２は主制御部８の指示により、硬貨一時保留部１３及び紙幣一時保留部２３に一時保留した硬貨及び紙幣のうち、前回の出金処理で出金された金額を釣銭分として釣銭用硬貨収納庫１４及び釣銭用紙幣収納庫２４に収納し、残りを売上として硬貨回収庫１５及び紙幣回収庫２５に収納（Ｓ３６）した後、前記Ｓ２９、Ｓ３０の処理を行って入金処理を終了する。
【００６０】
一方、前記Ｓ３２で今回の計数による入金金額が前回の出金金額未満と判断した場合、例えば今回の入金処理がカードＮｏ．が「０００１」のＩＤカードによる入金処理であって、Ｓ２５で主制御部８が図２に示す入出金処理履歴を検索した結果、従前の処理に今回の入金処理に対応する出金処理があると判断したが、今回の入金金額が「２９，０００円」で前回の出金金額が「３０，０００円」であるので、入金金額が前回の出金金額未満と判断した場合、主制御部８は確認画面を表示部３に表示する（Ｓ３４）。
【００６１】
図８はこの場合の確認画面の例を示す図で、この確認画面には「入金額は前回出金の釣銭額未満です。入金処理を続けますか」等の今回の入金額が今回使用のカードにより行われた前回の出金金額に満たないことを警告する旨、入金処理を続けるか否かを問う旨、入金を続ける場合は確認ボタンを、処理を終了する場合は取消ボタンを押下するように促すメッセージと共に、今回の入金金額が「２９，０００円」と前回の出金金額「３０，０００円」、及び入金続行を選択する「確認」ボタン３０、処理終了を選択する「取消」ボタン３１を表示する。
【００６２】
この画面を見てレジ担当者は「確認」ボタン３０と「取消」ボタン３１のいずれかを押下すると、主制御部８は処理継続かどうかを判断するが（Ｓ３５）。
この場合、レジ担当者は前記の確認画面に表示された今回の入金額が今回使用のカードにより行われた前回の出金金額に満たないことを警告するメッセージにより、カードを間違えたことを認識することができ、この段階で「取消」ボタン３１を押下して処理終了を選択することができる。
【００６３】
「取消」ボタン３１を押下して処理終了を選択すると、主制御部８はＩＤカードをカード挿入排出口から排出させてレジ担当者に返却するので、その後、レジ担当者は正しいカードを挿入して入金処理をやり直すことができる。
確認画面を見てレジ担当者が「確認」ボタン３０を押下して入金処理継続を選択した場合は、硬貨一時保留部１３及び紙幣一時保留部２３に一時保留した硬貨及び紙幣をすべてが釣銭用硬貨収納庫１４及び釣銭用紙幣収納庫２４に収納し（Ｓ３６）、その後、前記Ｓ２９、Ｓ３０の処理を行って入金処理を終了する。
【００６４】
また、前記Ｓ３３で今回の売上金額が図６に示すレジ別設定ファイルから検索した最低売上金額未満と判断した場合、例えば、今回の入金処理がカードＮｏ．が「０００１」のＩＤカードによる入金処理であって、Ｓ２５で主制御部８が図２に示す入出金処理履歴を検索した結果、従前の処理に今回の入金処理に対応する出金処理があると判断したが、今回の入金金額が「４０，０００円」で前回の出金金額が「３０，０００円」であり、それにより算出された売上が「１０，０００円」で、レジ別設定ファイルから検索した最低売上金額が「１５，０００円」であるので、売上金額が最低売上金額未満と判断した場合、主制御部８は確認画面を表示部３に表示する（Ｓ３４）。
【００６５】
図９はこの場合の確認画面の例を示す図で、この確認画面には「売上金額は最低売上金額未満です。入金処理を続けますか」等の今回の売上金額が予め設定された該当レジスタの最低売上金額に満たないことを警告する旨、入金処理を続けるか否かを問う旨、入金を続ける場合は確認ボタンを、処理を終了する場合は取消ボタンを押下するように促すメッセージと共に、今回の売上金額が「１０，０００円」と最低売上金額「１５，０００円」、及び入金続行を選択する「確認」ボタン３０、処理終了を選択する「取消」ボタン３１を表示する。
【００６６】
この画面を見てレジ担当者は「確認」ボタン３０と「取消」ボタン３１のいずれかを押下すると、主制御部８は処理継続かどうかを判断するが（Ｓ３５）、この場合、レジ担当者は前記の確認画面に表示された今回の売上金額が予め設定された該当レジスタの最低売上金額に満たないことを警告するメッセージにより、カードを間違えた可能性が高いことを認識することができ、この段階で「取消」ボタン３１を押下して処理終了を選択することができる。
【００６７】
「取消」ボタン３１を押下して処理終了を選択すると、主制御部８はＩＤカードをカード挿入排出口から排出させてレジ担当者に返却するので、その後、レジ担当者は正しいカードを挿入して入金処理をやり直すことができる。
確認画面を見てレジ担当者が「確認」ボタン３０を押下して入金処理継続を選択した場合は、前回の出金処理で出金された金額を釣銭分として釣銭用硬貨収納庫１４及び釣銭用紙幣収納庫２４に収納し、残りを売上として硬貨回収庫１５及び紙幣回収庫２５に収納（Ｓ３６）した後、前記Ｓ２９、Ｓ３０の処理を行って入金処理を終了する。
【００６８】
以上説明した第２の実施例によれば、担当者がレジスタから回収した現金を入金する際、担当者が挿入したＩＤカードから当該カードを特定する識別情報をカードリーダで読取り、その識別子に該当する従前の処理を入出金処理履歴から検索して、従前の処理に今回の入金処理に対応する出金があった場合、今回の入金金額と前回の出金処理金額を比較して、今回の入金金額が前回の出金処理金額に満たない場合、または今回の入金金額が前回の出金処理金額以上であっても今回の入金金額と前回の出金処理金額から算出される今回の売上金額が予め設定した最低売上金額に満たない場合、その旨の警告メッセージを表示して、処理終了を選択できるようにしているため、担当者は出金実績のあるカードを間違えて使用した場合でも、その間違えに気付くことができ、正しいカードを使用して入金処理をやり直すことができる。
【図面の簡単な説明】
【００６９】
【図１】第１実施例の構成を示すブロック図
【図２】入出金処理履歴の例を示す図
【図３】第１実施例の出金処理の手順を示すフローチャート
【図４】第１実施例の入金処理の手順を示すフローチャート
【図５】確認画面の例を示す図
【図６】第２実施例におけるレジ別設定ファイルの例を示す図
【図７】第２実施例の入金処理の手順を示すフローチャート
【図８】確認画面の例を示す図
【図９】確認画面の例を示す図
【図１０】従来装置の問題の解決策を示す説明図
【符号の説明】
【００７０】
１    硬貨処理機
２    紙幣処理機
３    表示部
４    操作部
５    カードリーダ
６    伝票記録部
７    記憶部
８    主制御部
１１  硬貨入金口
１２  硬貨鑑別部
１３  硬貨一時保留部
１４  釣銭用硬貨収納庫
１５  硬貨回収庫
１６  硬貨出金庫
１７  硬貨リジェクト口
１８  制御部
２１  紙幣入出金口
２２  紙幣鑑別部
２３  紙幣一時保留部
２４  釣銭用紙幣収納庫
２５  紙幣回収庫
２６  紙幣リジェクト庫
２７  制御部
３０  「確認」ボタン
３１  「取消」ボタン
【図１】
2008204422.tif 000003
【図２】
2008204422.tif 000004
【図３】
2008204422.tif 000005
【図４】
2008204422.tif 000006
【図５】
2008204422.tif 000007
【図６】
2008204422.tif 000008
【図７】
2008204422.tif 000009
【図８】
2008204422.tif 000010
【図９】
2008204422.tif 000011
【図１０】
2008204422.tif 000012